【事件の表示】
　特願２００１−　３３２４９「液晶表示装置及びその駆動方法」拒絶査定不服審判事件〔平成１４年　８月２３日出願公開、特開２００２−２３６４７４〕について、次のとおり審決する。
【結　論】
　本件審判の請求は、成り立たない。
【理　由】
１　手続の経緯
　本願は、平成１３年２月９日の出願であって、平成２３年４月５日付けで手続補正がなされ、同年８月１１日付けで拒絶査定がなされ、これに対して、同年１２月１４日に拒絶査定不服審判が請求されたものである。
　
２　本願発明
　本願の請求項１ないし６に係る発明は、平成２３年４月５日付けで補正された明細書の特許請求の範囲の請求項１ないし６に記載された事項によって特定されるものであるところ、その請求項１に係る発明は、平成２３年４月５日付け補正後の明細書及び図面の記載からみて、その特許請求の範囲の請求項１に記載されたとおりの次のものと認める。
　
「複数の走査線及び複数の信号線を有する液晶パネルと、複数の基準電圧を出力する基準電圧発生回路と、前記液晶パネルの走査線を順次走査する垂直ドライバと、前記基準電圧発生回路からの複数の基準電圧を受けて前記液晶パネルの信号線に階調電圧を供給する水平ドライバと、入力データを１水平同期期間ごとに極性反転して階調データを作成しこの階調データに対応した基準電圧を液晶パネルに印加するように水平ドライバを制御する制御回路とを有し、前記制御回路が階調表示に用いる階調−γ補正電圧特性は、最上位階調と最下位階調との中心と中心電位との交点で点対称の関係となっており、
　前記階調−γ補正電圧特性が非直線形状をなしており、この特性を満たすように、前記入力データの階調に応じて、前記水平ドライバから前記液晶パネルにγ補正電圧を印加することを特徴とする液晶表示装置。」（以下「本願発明」という。）
　
３　刊行物の記載事項
　原査定の拒絶の理由に引用された「本願の出願前に頒布された刊行物である実願昭６２−３３９４号（実開昭６３−１１３１９６号）のマイクロフィルム（以下「引用例」という。）」には、図とともに次の事項が記載されている。
（１）「この考案は
多階調デジタル映像信号を入力して液晶表示素子にその映像を表示する液晶駆動装置に関し、特に液晶表示素子を交流駆動する
　
（２）「液晶表示素子においては、その
液晶の寿命を長くする点から、同一個所に駆動電圧を印加する場合に、その部分の液晶に対し、印加方向を交互に反転させながら印加する、いわゆる交流駆動が行われている
　
（３）「以下この考案を図面を参照して詳細に説明しよう。
　
１画素信号がｍビットの信号（データ）Ａ
０
〜Ａ
ｍ−１
、つまり２
ｍ
階調の
その各ビットごとに
交流化指令ＦＲとの排他的論理和を回路６２
０
〜６２
ｍ−１
でそれぞれとる
入力画像信号のフレームごとに“１”と“０”をとる
　この第１図に示す回路によれば交流化指令ＦＲの制御により簡単に
画像信号の階調レベルを反転させ
液晶表示素子の液晶に印加する電圧の方向を同一階調レベルで反転させ
共通電極（各画素電極と液晶を介して対向する
共通電極に対する印加電圧６５としては０Ｖと＋Ｖ
７
とを、交流化指令ＦＲ
と同期して画像信号フレームごとに交互に取る
　また、通常、
アクティブ液晶表示素子
画素電極
　
（４）「前述した交流化とノーマルブラック及びノーマルホワイトとの切替えを設けたこの考案の液晶駆動装置を白黒映像に対し適用した例を第９図に第４図と対応する部分に同一符号を付けて示す。
　
シフトレジスタ１２の初段データ端子に
水平起動信号ＳＴＨが入力され
このシフトレジスタ１２は
映像信号の画素クロック、つまりドットクロックＣＰＨによってシフトされ
シフトレジスタ１２
シフト段１２
１
乃至１２
ｎ
を有
各シフト段１２
１
〜１２
ｎ
と対応して第１ラッチ回路２１
１
乃至２１
ｎ
が設けられている
第１ラッチ回路２１
１
乃至２１
ｎ
には
交流化された多階調デジタル映像信号が入力され
階調情報はｍビットＡ
０
′Ａ
１
′…Ａ
ｍ−１
′である
水平起動信号（パルス）ＳＴＨの初めから順番に各画素データが第１ラッチ回路２１
１
乃至２１
ｎ
に順次ラッチされ
即ち各画素クロックごとにシフトレジスタ１２内の信号ＳＴＨはシフト段１２
１
乃至１２
ｎ
を順次シフトし、その出力によって各画素データが第１ラッチ回路２１
１
乃至２１
ｎ
に順次ラッチされ
　この
１ライン（１主走査線）分の画素データのラッチが終了すると、水平起動信号ＳＴＨによって第２ラッチ回路２３
１
乃至２３
ｎ
に第１ラッチ回路２１
１
乃至２１
ｎ
の各画素データがそれぞれ一斉にラッチされる
第２ラッチ回路２３
１
乃至２３
ｎ
の出力は
レベルシフタ２４
１
乃至２４
ｎ
によって電圧レベルが変換されてデコーダ２５
１
乃至２５
ｎ
に供給されて、各ｍビットの画素データはデコードされ、その２
ｍ
の値の何れかに応じた一つの端子に出力され
　
デコーダ２５
１
乃至２５
ｎ
のそのデコード出力は選択回路２６
１
乃至２６
ｎ
に供給され、選択回路２６
１
乃至２６
ｎ
には共通に電圧値Ｖ
０
乃至Ｖ
Ｓ
が与えられている
Ｖ
０
乃至Ｖ
Ｓ
は入力映像信号のとり得る階調と対応して２
ｍ
の種類の値をとる
デコードされた出力に応じて電圧Ｖ
０
乃至Ｖ
Ｓ
の何れか一つが選択されて出力端子２７
１
乃至２７
ｎ
に出力さ
ソースバスに印加さ
　
１主走査線分のデータが第１ラッチ回路２１
１
乃至２１
ｎ
にラッチされると、これらデータは同時に第２ラッチ回路２３
１
乃至２３
ｎ
にラッチされ、また次の主走査線信号の画素データが第１ラッチ回路２１
１
乃至２１
ｎ
に順次ラッチされる。以上のことが繰返され
　
（５）「以上述べたようにこの考案によれば液晶表示素子を交流駆動することが…略…できる。」（１２頁６〜９行）
　
（６）第２図及び第３図の記載から、１画素信号がｍビットの２ｍ階調のデータＡ０〜Ａｍ−１である入力画像信号そのままのｍビットＡ０′Ａ１′…Ａｍ−１′である階調情報と、１画素信号がｍビットの２ｍ階調のデータＡ０〜Ａｍ−１である入力画像信号を反転したｍビットＡ０′Ａ１′…Ａｍ−１′である階調情報とは、ｍ＝３のとき０から７までの８段階の階調を示し、各段階の階調にＶ０からＶ７までの電圧値が対応しており、入力画像信号そのままの階調情報と入力画像信号を反転した階調情報とは、各階調に対する電圧値の極性が逆で絶対値が同じであり、そのまま反転いずれの場合も、最上位階調と最下位階調との中心と中心電圧値との交点で点対称の関係となっている直線形状の階調−補正電圧特性となっていることが見て取れる。
　
（７）上記（４）において、液晶駆動装置の選択回路２６１乃至２６ｎには電圧値Ｖ０乃至ＶＳが与えられているから、液晶駆動装置は電圧値Ｖ０乃至ＶＳを発生する電圧発生回路を備えていることが当業者に自明である。
　上記（４）における主走査線信号は主走査線駆動回路により複数の主走査線に次々に印加されものであることが当業者に自明である。
　上記（３）における交流化指令ＦＲや入力画像信号、上記（４）における水平起動信号ＳＴＨやドットクロックＣＰＨなどを出力する回路が備わっていることは当業者に自明であり、該回路及び上記（３）の回路６２０〜６２ｍ−１はまとめて制御回路といえるものである。
　したがって、上記（１）ないし（６）から、引用例には、
「複数の画素電極、各画素電極と液晶を介して対向する共通電極、ソースバス、複数の主走査線、及び、液晶を備えたアクティブ液晶表示素子と、
　多階調デジタル映像信号を入力して前記液晶表示素子にその映像を表示する液晶駆動装置と、
　複数の主走査線に主走査線信号を次々に印加する主走査線駆動回路と、
　排他的論理和をとる回路６２０〜６２ｍ−１を備え、交流化指令ＦＲ、入力画像信号、水平起動信号ＳＴＨ、ドットクロックＣＰＨなどを出力する制御回路とを有する装置であって、
　前記液晶駆動装置は、
　　液晶の寿命を長くする点から、同一個所に駆動電圧を印加する場合に、その部分の液晶に対し、印加方向を交互に反転させながら印加する、いわゆる交流駆動を行うものであって、
　　シフト段１２１乃至１２ｎを有するシフトレジスタ１２、各シフト段１２１〜１２ｎと対応して設けられている第１ラッチ回路２１１乃至２１ｎ、第１ラッチ回路２１１乃至２１ｎの各画素データをそれぞれ一斉にラッチする第２ラッチ回路２３１乃至２３ｎ、第２ラッチ回路２３１乃至２３ｎの出力の電圧レベルを変換してデコーダ２５１乃至２５ｎに供給するレベルシフタ２４１乃至２４ｎ、レベルシフタ２４１乃至２４ｎから供給された各ｍビットの画素データをデコードし、その２ｍの値の何れかに応じた一つの端子に出力するデコーダ２５１乃至２５ｎ、電圧値Ｖ０乃至ＶＳを発生する電圧発生回路、及び、デコーダ２５１乃至２５ｎのデコード出力が供給されるとともに、電圧発生回路からの電圧値Ｖ０乃至ＶＳが共通に与えられている選択回路２６１乃至２６ｎを有しており、
　　前記シフトレジスタ１２は、初段データ端子に入力された水平起動信号パルスＳＴＨを映像信号の画素クロックつまりドットクロックＣＰＨによってシフトし、前記第１ラッチ回路２１１乃至２１ｎは、ｍビットＡ０′Ａ１′…Ａｍ−１′である階調情報を有する交流化された多階調デジタル映像信号の各画素データを、水平起動信号パルスＳＴＨがシフトする順番に順次ラッチし、１主走査線分の画素データのラッチが終了すると、水平起動信号ＳＴＨによって前記第２ラッチ回路２３１乃至２３ｎが第１ラッチ回路２１１乃至２１ｎの各画素データをそれぞれ一斉にラッチし、第２ラッチ回路２３１乃至２３ｎの出力の電圧レベルを前記レベルシフタ２４１乃至２４ｎにより変換して前記デコーダ２５１乃至２５ｎに供給し、各ｍビットの画素データをデコードして、その２ｍの値の何れかに応じた一つの端子に出力して前記選択回路２６１乃至２６ｎに供給し、前記選択回路２６１乃至２６ｎは、入力映像信号のとり得る階調と対応して２ｍの種類の値をとる前記電圧値Ｖ０乃至ＶＳの何れか一つをデコードされた出力に応じて選択して出力端子２７１乃至２７ｎに出力することにより前記ソースバスに印加し、
　　１主走査線分のデータが第１ラッチ回路２１１乃至２１ｎにラッチされると、これらデータは同時に第２ラッチ回路２３１乃至２３ｎにラッチされ、また次の主走査線信号の画素データが第１ラッチ回路２１１乃至２１ｎに順次ラッチされ、
　　以上のことを繰返すものであり、
　ｍビットＡ０′Ａ１′…Ａｍ−１′である前記階調情報は、前記回路６２０〜６２ｍ−１で、１画素信号がｍビットの２ｍ階調のデータＡ０〜Ａｍ−１である入力画像信号の各ビットごとに、入力画像信号のフレームごとに“１”と“０”をとる交流化指令ＦＲとの排他的論理和をそれぞれとることにより、画像信号の階調レベルを反転させたものであり、これにより、前記液晶表示素子の液晶に印加する電圧の方向が同一階調レベルで反転でき、
　前記共通電極に対する印加電圧６５は、交流化指令ＦＲと同期して画像信号フレームごとに０Ｖと＋Ｖ７とを交互に取るものであり、
　前記階調情報の各階調と前記電圧値Ｖ０乃至ＶＳとの対応関係である階調−補正電圧特性は、入力画像信号そのままの階調情報と入力画像信号を反転した階調情報とは各階調に対する電圧値の極性が逆で絶対値が同じであり、そのまま反転いずれの場合も、最上位階調と最下位階調との中心と前記電圧値Ｖ０乃至ＶＳの中心電圧値との交点で点対称の関係となっている直線形状の特性となっている、
　液晶表示素子と液晶駆動装置と主走査線駆動回路と制御回路とを有する装置。」の発明（以下「引用発明」という。）が記載されているものと認められる。
　
４　対比
　本願発明と引用発明とを対比する。
（１）引用発明の「複数の主走査線」、「ソースバス」、「アクティブ液晶表示素子」、「電圧値Ｖ０乃至ＶＳ」、「電圧発生回路」、「複数の主走査線に主走査線信号を次々に印加する主走査線駆動回路」、「液晶駆動装置」、「１画素信号がｍビットの２ｍ階調のデータＡ０〜Ａｍ−１である入力画像信号」、「ｍビットＡ０′Ａ１′…Ａｍ−１′である階調情報を有する交流化された多階調デジタル映像信号の各画素データ」、「『デコードされた出力に応じて選択して出力端子２７１乃至２７ｎに出力することにより前記ソースバスに印加』する『入力映像信号のとり得る階調と対応して２ｍの種類の値をとる前記電圧値Ｖ０乃至ＶＳの何れか一つ』」、「制御回路」及び「液晶表示素子と液晶駆動装置と主走査線駆動回路と制御回路とを有する装置」は、それぞれ、本願発明の「複数の走査線」、「複数の信号線」、「液晶パネル」、「複数の基準電圧」、「基準電圧発生回路」、「液晶パネルの走査線を順次走査する垂直ドライバ」、「水平ドライバ」、「入力データ」、「階調データ」、「階調電圧」、「制御回路」及び「液晶表示装置」に相当する。
　
（２）引用発明の「液晶パネル（アクティブ液晶表示素子）」は、「複数の信号線（ソースバス）」及び「複数の走査線（複数の主走査線）」を備えているから、本願発明の「液晶パネル」と、「複数の走査線及び複数の信号線を有する」点で一致する。
　
（３）引用発明の「基準電圧発生回路（電圧発生回路）」は、「複数の基準電圧（電圧値Ｖ０乃至ＶＳ）」を発生するから、本願発明の「基準電圧発生回路」と、「複数の基準電圧を出力する」点で一致する。
　
（４）引用発明の「制御回路」は、排他的論理和をとる回路６２０〜６２ｍ−１を備え、交流化指令ＦＲ、入力画像信号、水平起動信号ＳＴＨ、ドットクロックＣＰＨなどを出力するものであり、引用発明の「水平ドライバ（液晶駆動装置）」は、液晶の寿命を長くする点から、同一個所に駆動電圧を印加する場合に、その部分の液晶に対し、印加方向を交互に反転させながら印加する、いわゆる交流駆動を行うものであって、シフト段１２１乃至１２ｎを有するシフトレジスタ１２、各シフト段１２１〜１２ｎと対応して設けられている第１ラッチ回路２１１乃至２１ｎ、第１ラッチ回路２１１乃至２１ｎの各画素データをそれぞれ一斉にラッチする第２ラッチ回路２３１乃至２３ｎ、第２ラッチ回路２３１乃至２３ｎの出力の電圧レベルを変換してデコーダ２５１乃至２５ｎに供給するレベルシフタ２４１乃至２４ｎ、レベルシフタ２４１乃至２４ｎから供給された各ｍビットの画素データをデコードし、その２ｍの値の何れかに応じた一つの端子に出力するデコーダ２５１乃至２５ｎ、「複数の基準電圧（電圧値Ｖ０乃至ＶＳ）」を発生する「基準電圧発生回路（電圧発生回路）」、及び、デコーダ２５１乃至２５ｎのデコード出力が供給されるとともに、「基準電圧発生回路」からの「複数の基準電圧」が共通に与えられている選択回路２６１乃至２６ｎを有しており、前記シフトレジスタ１２は、初段データ端子に入力された水平起動信号パルスＳＴＨを映像信号の画素クロックつまりドットクロックＣＰＨによってシフトし、前記第１ラッチ回路２１１乃至２１ｎは、「階調データ（ｍビットＡ０′Ａ１′…Ａｍ−１′である階調情報を有する交流化された多階調デジタル映像信号の各画素データ）」を、水平起動信号パルスＳＴＨがシフトする順番に順次ラッチし、１主走査線分の「階調データ」のラッチが終了すると、水平起動信号ＳＴＨによって前記第２ラッチ回路２３１乃至２３ｎが第１ラッチ回路２１１乃至２１ｎの各「階調データ」をそれぞれ一斉にラッチし、第２ラッチ回路２３１乃至２３ｎの出力の電圧レベルを前記レベルシフタ２４１乃至２４ｎにより変換して前記デコーダ２５１乃至２５ｎに供給し、各ｍビットの「階調データ」をデコードして、その２ｍの値の何れかに応じた一つの端子に出力して前記選択回路２６１乃至２６ｎに供給し、前記選択回路２６１乃至２６ｎは、入力映像信号のとり得る階調と対応して２ｍの種類の値をとる前記「複数の基準電圧（電圧値Ｖ０乃至ＶＳ）」の何れか一つである「階調電圧」をデコードされた出力に応じて、すなわち「階調データ」に応じて、選択して、出力端子２７１乃至２７ｎに出力することにより「液晶パネルの信号線（前記ソースバス）」に印加するものであり、「階調データ」は、前記回路６２０〜６２ｍ−１で、「入力データ（１画素信号がｍビットの２ｍ階調のデータＡ０〜Ａｍ−１である入力画像信号）」の各ビットごとに、「入力データ」のフレームごとに“１”と“０”をとる交流化指令ＦＲとの排他的論理和をそれぞれとることにより、「入力データ」の階調レベルを反転させたものであり、これにより、前記「液晶パネル（液晶表示素子）」の液晶に印加する電圧の方向が同一階調レベルで反転でき、前記共通電極に対する印加電圧６５は、交流化指令ＦＲと同期して画像信号フレームごとに０Ｖと＋Ｖ７とを交互に取るものであるから、引用発明の「水平ドライバ」と本願発明の「水平ドライバ」とは、「基準電圧発生回路からの複数の基準電圧を受けて液晶パネルの信号線に階調電圧を供給する」点で一致し、引用発明の「制御回路」と本願発明の「入力データを１水平同期期間ごとに極性反転して階調データを作成しこの階調データに対応した基準電圧を液晶パネルに印加するように水平ドライバを制御する制御回路」とは、「入力データを一定期間ごとに極性反転して階調データを作成しこの階調データに対応した基準電圧を液晶パネルに印加するように水平ドライバを制御する」点で一致し、引用発明の「液晶表示装置（液晶表示素子と液晶駆動装置と主走査線駆動回路と制御回路とを有する装置）」と本願発明の「前記入力データの階調に応じて、前記水平ドライバから前記液晶パネルにγ補正電圧を印加する液晶表示装置」とは、「前記入力データの階調に応じて、前記水平ドライバから前記液晶パネルに補正電圧を印加する」点で一致し、かつ、「液晶パネルと、基準電圧発生回路と、垂直ドライバと、水平ドライバと、制御回路とを有」する点でも一致する。
　
（５）引用発明の「階調情報の各階調と電圧値Ｖ０乃至ＶＳとの対応関係である階調−補正電圧特性」は、入力画像信号そのままの階調情報と入力画像信号を反転した階調情報とは各階調に対する電圧値の極性が逆で絶対値が同じであり、そのまま反転いずれの場合も、最上位階調と最下位階調との中心と前記電圧値Ｖ０乃至ＶＳの中心電圧値との交点で点対称の関係となっている直線形状の特性となっているから、本願発明の「最上位階調と最下位階調との中心と中心電位との交点で点対称の関係となっており、非直線形状をなしている、前記制御回路が階調表示に用いる階調−γ補正電圧特性」と、「最上位階調と最下位階調との中心と中心電位との交点で点対称の関係となっている、前記制御回路が階調表示に用いる階調−補正電圧特性」である点で一致するといえる。
　
（６）上記（１）ないし（５）から、本願発明と引用発明とは、
「複数の走査線及び複数の信号線を有する液晶パネルと、複数の基準電圧を出力する基準電圧発生回路と、前記液晶パネルの走査線を順次走査する垂直ドライバと、前記基準電圧発生回路からの複数の基準電圧を受けて前記液晶パネルの信号線に階調電圧を供給する水平ドライバと、入力データを一定期間ごとに極性反転して階調データを作成しこの階調データに対応した基準電圧を液晶パネルに印加するように水平ドライバを制御する制御回路とを有し、前記制御回路が階調表示に用いる階調−補正電圧特性は、最上位階調と最下位階調との中心と中心電位との交点で点対称の関係となっており、
　前記階調−補正電圧特性を満たすように、前記入力データの階調に応じて、前記水平ドライバから前記液晶パネルに補正電圧を印加する液晶表示装置。」である点で一致し、次の点で相違する。
　
相違点１：
　本願発明では、前記階調−補正電圧特性が、非直線形状をなしている階調−γ補正電圧特性であり、前記補正電圧が、γ補正電圧であるのに対して、引用発明では、前記階調−補正電圧特性は直線形状の特性であり、ゆえに前記補正電圧はγ補正電圧ではない点。
　
相違点２：
　前記一定期間が、本願発明では「１水平同期期間」であるのに対して、引用発明ではそうではない点。
　
５　判断
　上記相違点１及び２について検討する。
（１）相違点１について
　ア　最上位階調と最下位階調との中心と中心電位との交点で点対称の関係となっている階調−補正電圧特性において、非直線形状をなしている階調−γ補正電圧特性であるものは、本願の出願前に周知であり（以下「周知技術」という。例．いずれも原査定の拒絶の理由に引用された、特開平１１−２９６１４７号公報（【０００７】、【００６１】、図１４参照。）、特開平１０−３１９４２９号公報（【００５４】、図１５参照。）、特開平６−１９５０４６号公報（【００２８】〜【００３２】、図２参照。））、周知技術の非直線形状の特性によるγ補正により、液晶材料の光学特性に合った補正電圧を印加できるようになることは当業者に知られていることである（上記特開平１１−２９６１４７号公報の【００６８】、上記特開平１０−３１９４２９号公報の【００５４】及び上記特開平６−１９５０４６号公報の【０００３】〜【０００４】参照。）。
　
　イ　上記アからみて、引用発明において、液晶の光学特性に合った補正電圧を印加できるようにするために、前記「最上位階調と最下位階調との中心と中心電位との交点で点対称の関係となっている階調−補正電圧特性」を、「非直線形状の階調−γ補正電圧特性」となすこと、すなわち、引用発明において、上記相違点１に係る本願発明の構成となすことは、当業者が周知技術に基づいて容易になし得たことである。
　
（２）相違点２について
　ア　交流駆動としてライン反転駆動は例示するまでもなく周知慣用手段である。
　
　イ　上記アからみて、引用発明において、入力画像信号のフレームごとに“１”と“０”をとっている交流化指令ＦＲを、「１水平同期期間」ごとに“１”と“０”をとるようにして、ライン反転駆動となすこと、すなわち、引用発明において、上記相違点２に係る本願発明の構成となすことは、当業者が周知慣用手段に基づいて適宜なし得た程度のことである。
　
（３）効果について
　本願発明の奏する効果は、引用発明の奏する効果、周知技術の奏する効果及び周知慣用手段の奏する効果から当業者が予測することができた程度のことである。
　
（４）まとめ
　したがって、本願発明は、当業者が引用例に記載された発明、周知技術及び周知慣用手段に基づいて容易に発明をすることができたものである。
　
６　むすび
　本願発明は、以上のとおり、当業者が引用例に記載された発明、周知技術及び周知慣用手段に基づいて容易に発明をすることができたものであるから、特許法第２９条第２項の規定により特許を受けることができない。
　よって、結論のとおり審決する。